(57)【要約】      （修正有）【課題】電気錠のキーロックシステムに於ける室外機の取付構造に係り、室外機を扉に取り付けるに当たり、強度的，美観的に優れ、且つ様々な需要に対応可能な室外機の取付構造を提供する。【解決手段】室外機の裏板２５，４５の四隅に、棒状の強化脚３９を着脱自在に取り付け可能とし、前記裏板の中央と該中央の上下方向のいずれか一方に、扉内部の錠ケース３１に挿着するアタッチメント部品２９を着脱自在に取り付け可能とし、扉に対する室外機２３の取付位置に応じ、前記強化脚の取付位置を選択して該強化脚を前記裏板に取り付け、室外機の取付位置に応じたアタッチメント部品の使用時に、該アタッチメント部品の取付位置を選択してこれを裏板に取り付けると共に、裏板に取り付けた前記強化脚に対応して扉に強化脚挿通孔４３を設け、該強化脚挿通孔に挿通させた強化脚を、扉の室内側から締め付け固定する。【選択図】図２
0003151440.tif 000002
【実用新案登録請求の範囲】
【請求項１】
電気錠のキーロックシステムに於ける室外機の取付構造であって、
前記室外機の裏板の四隅に、棒状の強化脚を着脱自在に取り付け可能とし、
前記裏板の中央と該中央の上下方向のいずれか一方に、扉内部の錠ケースに挿着するアタッチメント部品を着脱自在に取り付け可能とし、
扉に対する室外機の取付位置に応じ、前記強化脚の取付位置を選択して該強化脚を前記裏板に取り付け、
室外機の取付位置に応じたアタッチメント部品の使用時に、該アタッチメント部品の取付位置を選択してこれを裏板に取り付けると共に、
裏板に取り付けた前記強化脚に対応して扉に強化脚挿通孔を設け、該強化脚挿通孔に挿通させた強化脚を、扉の室内側から締め付け固定することを特徴とする室外機の取付構造。
【請求項２】
電気錠のキーロックシステムに於ける室外機の取付構造であって、
扉の室外側に装着したシリンダーと該扉との間に一枚の取付板を介装し、該取付板に室外機を固定することを特徴とする室外機の取付構造。
【考案の詳細な説明】
【技術分野】
【０００１】
本考案は、カードキーや暗証番号の入力によって錠前を電気的に解錠する電気錠のキーロックシステムに係り、詳しくはこの種のキーロックシステムに用いる室外機の取付構造に関する。
【背景技術】
【０００２】
非特許文献１に開示されるように、近年、集合住宅や一般住宅の玄関には、カードキーや暗証番号の入力によって錠前を電気的に解錠する電気錠のキーロックシステムが普及し、広く使用されている。
【０００３】
一般に、この種のキーロックシステムでは、扉の外側に装着した室外機（フロントボディ）のカード認識部分にカードキーをかざしたり、室外機に設けたテンキーボード上のテンキーを操作して暗証番号の入力が行われている。
【０００４】
ところで、例えば図１９(a)，(b)に示すようにレバーハンドル錠１が用いられた住宅の扉３には、扉３の室外側にレバーハンドル５とシリンダー７が装着され、扉３の室内側にレバーハンドル９とサムターン１１が装着されているが、斯かるレバーハンドル錠１に代えて、図２０(a)，(b)の如く前記キーロックシステム１３の室外機１５と室内機（メインボディ）１７を扉３に取り付ける場合、シリンダー７とサムターン１１を取り外し、これらを取り外した後の扉の取付孔から、扉内部の錠ケース（図示せず）の取付孔に、室外機１５の裏板（室外機本体を扉に取り付ける板材）に装着したアタッチメント部品と、室内機１７の裏板（室内機本体を扉に取り付ける板材）に装着したアタッチメント部品を夫々挿着して、室外機１５と室内機１７を扉３に取り付けていた。
【考案の概要】
【考案が解決しようとする課題】
【０００５】
しかし乍ら、前記アタッチメント部品を用いた室外機１５と室内機１７の取付構造は、夫々、アタッチメント部品による一点支持であり、特に室外機１５は室外に配置されることもあって、防犯上、強度的により優れた取付構造が望まれていた。
【０００６】
また、室外機１５と扉３との間に隙間が生じてしまうこともあり、美観上の対策も望まれている。
【０００７】
更に、図２０(a)の如くシリンダー７に代えて室外側１５を取り付けた構造上、シリンダー７を外しているため、例えば室外機１５が故障した場合には外から扉３を開けることができない不具合があった。
【０００８】
このため、図２０(a)の如き室外機１５の取付構造に代え、シリンダー７を残した状態で室外機１５を取り付けたい需要があるが、前記アタッチメント部品を用いた取付構造では、シリンダー７を残しての取り付けができないのが実情であった。
【０００９】
本考案は斯かる実情に鑑み案出されたもので、室外機を扉に取り付けるに当たり、強度的，美観的に優れ、且つ様々な需要に対応可能な室外機の取付構造を提供することを第一の目的とする。
【００１０】
そして、本考案の第二の目的は、例えば賃貸住宅のように補強対策上、扉に穴を空けることのできない場合にも対応可能な室外機の取付構造を提供することにある。
【課題を解決するための手段】
【００１１】
斯かる目的を達成するため、請求項１に係る考案は、電気錠のキーロックシステムに於ける室外機の取付構造であって、前記室外機の裏板の四隅に、棒状の強化脚を着脱自在に取り付け可能とし、前記裏板の中央と該中央の上下方向のいずれか一方に、扉内部の錠ケースに挿着するアタッチメント部品を着脱自在に取り付け可能とし、扉に対する室外機の取付位置に応じ、前記強化脚の取付位置を選択して該強化脚を前記裏板に取り付け、室外機の取付位置に応じたアタッチメント部品の使用時に、該アタッチメント部品の取付位置を選択してこれを裏板に取り付けると共に、裏板に取り付けた前記強化脚に対応して扉に強化脚挿通孔を設け、該強化脚挿通孔に挿通させた強化脚を、扉の室内側から締め付け固定することを特徴とする。
【００１２】
そして、請求項２に係る考案は、電気錠のキーロックシステムに於ける室外機の取付構造であって、扉の室外側に装着したシリンダーと該扉との間に一枚の取付板を介装し、該取付板に室外機を固定することを特徴とする。
【考案の効果】
【００１３】
請求項１に係る考案によれば、室外機の取付位置に応じ裏板に強化脚を取り付け可能とすると共に、アタッチメント部品を使用する場合、その取付位置を選択可能としたので、仕様に応じ従来と異なる扉の位置に室外機を取り付けることができると共に、裏板に取り付けた強化脚によって、室外機の取付強度の向上を図ることが可能となった。
【００１４】
そして、請求項２に係る考案によれば、扉に孔加工することなく、シリンダーを残したまま室外機を取り付けることができるため、賃貸住宅でも電気錠のキーロックシステムを利用できると共に、室外機が取付板に固定されているため、室外機の取付強度も優れた利点を有する。
【００１５】
また、シリンダーを残したまま室外機を扉に取り付けることができるため、室外機が故障した場合や緊急時に外から扉を開けることが可能である。
【図面の簡単な説明】
【００１６】
【図１】請求項１の第一実施形態に係る取付構造を用いた室外機と室内機が取り付く扉の室外側と室内側の正面図である。
【図２】室外機と室内機が取り付く扉の側面図である。
【図３】裏板と錠ケースの斜視図である。
【図４】裏板とアタッチメント部品の斜視図である。
【図５】アタッチメント部品の取付パターンの説明図である。
【図６】裏板と引き足の斜視図である。
【図７】室外機の裏板と室内機の裏板との位置関係を示す斜視図である。
【図８】室外機の裏板と室内機の裏板との位置関係を示す斜視図である。
【図９】請求項１の第二実施形態に係る取付構造を用いた室外機と室内機が取り付く扉の室外側と室内側の正面図である。
【図１０】室外機と室内機が取り付く扉の側面図である。
【図１１】室外機の裏板と室内機の裏板との位置関係を示す斜視図である。
【図１２】室外機の裏板と室内機の裏板との位置関係を示す斜視図である。
【図１３】請求項１の第三実施形態に係る取付構造を用いた室外機と室内機が取り付く扉の室外側と室内側の正面図である。
【図１４】室外機と室内機が取り付く扉の側面図である。
【図１５】室外機の裏板と室内機の裏板との位置関係を示す斜視図である。
【図１６】室外機の裏板と室内機の裏板との位置関係を示す斜視図である。
【図１７】請求項２の一実施形態に係る取付構造の分解斜視図である。
【図１８】室外機が取り付く扉の斜視図である。
【図１９】レバーハンドル錠が用いられた扉の室外側と室内側の正面図である。
【図２０】従来の取付構造を用いた室外機と室内機が取り付く扉の室外側と室内側の正面図である。
【考案を実施するための形態】
【００１７】
以下、本考案の実施形態を図面に基づいて詳細に説明する。尚、図１９及び図２０に示す従来例と同一のものは同一符号を以って表示する。
【００１８】
図１及び図２は電気錠のキーロックシステムに於ける請求項１の第一実施形態に係る室外機の取付構造を示し、図中、２１は室外機本体２３とその裏面側に取り付く裏板（室外機本体２３を扉３に取り付ける板材）２５とからなる室外機（フロントボディ）で、室外機本体２３の表面にテンキーボード２７が設けられている。
【００１９】
そして、図２及び図３に示すように本実施形態も、シリンダー７を取り外した扉３の取付孔から、裏板２５に取り付けた周知のアタッチメント部品２９を扉３内部の錠ケース３１の取付孔３３に挿着して室外機２１を扉３に取り付けているが、図４に示すように本実施形態は、裏板２５にアタッチメント部品２９の２箇所の取付位置を設けたことを第一の特徴とする。
【００２０】
即ち、図４に示すように裏板２５の上下方向の中央に、左右一対のネジ挿通孔３５が設けられており、裏板２５の反対側からネジ挿通孔３５に挿通させたネジ（図示せず）で、アタッチメント部品２９を裏板２５の中央にネジ止めできるようになっているが、アタッチメント部品２９の取付位置が中央の１箇所のみであると、扉の仕様によって、錠ケースに取り付けられているレバーハンドルに室外機２１（裏板２５）が接触して、室外機２１を扉に取り付けることができない虞がある。
【００２１】
そこで、図４に示すように本実施形態は、前記ネジ挿通孔３５の上方に、更に左右一対のネジ挿通孔３７を前記ネジ挿通孔３５と夫々同一線上に設けることで、裏板２５にアタッチメント部品２９の２箇所の取付位置を確保している。
【００２２】
この結果、様々な扉の仕様に応じ、図５(a)〜(c)の如く裏板２５を１８０度反転させてアタッチメント部品２９を取り付けることで、３パターンでのアタッチメント部品２９の取付けが可能となる。
【００２３】
そして、図２に示すように本実施形態は、室外機２１を扉３に取り付けるに当たり、レバーハンドル５との位置関係から、図２の破線及び図３及，図５(c)に示すようにアタッチメント部品２９を裏板２５の下部に取り付けた状態で、該アタッチメント部品２９を前記取付孔３３に挿着している。
【００２４】
しかし、斯様に裏板２５の下部に取り付くアタッチメント部品２９によって裏板２５を扉３に取り付け、該裏板２５に室外機本体２３を取り付けた場合、室外機２１の上部側が扉３から剥がされ易く、強度上，防犯上若干の問題がある。
【００２５】
そこで、図６に示すように本実施形態は、第二の特徴として、前記裏板２５の四隅に、パイプ状（棒状）の強化脚（以下、「引き足」という）３９を着脱自在に取り付け可能としたもので、引き足３９の内周は螺刻されている。
【００２６】
また、裏板２５の四隅にはネジ挿通孔４１が設けられており、前記アタッチメント部品２９と同様、裏板２５の反対側から該ネジ挿通孔４１に挿通させたネジ（図示せず）を引き足３９内にネジ込んで、引き足３９が裏板２５の四隅にネジ止めされるようになっている。
【００２７】
そして、既述したように裏板２５の下部に取り付くアタッチメント部品２９を介して室外機２１を扉３に取り付けたことで、室外機２１の上部側が強度的に弱いため、図２に示すように本実施形態は、裏板２５の上部２箇所の角部のネジ挿通孔４１を選択して、引き足３９を夫々の角部にネジ止めしている。尚、図７及び図８に示すように、このとき、裏板２５の上部は錠ケース３１の上方へ突出している。
【００２８】
また、図２に示すように裏板２５の上部２箇所に取り付けた強化脚３９に対応して、扉３の室外の外側面に引き足挿通孔４３を設け、更に、該引き足挿通孔４３に対応して扉３の室内側の内側面と、図８の如く室内機１７の裏板４５とにネジ挿通孔４７を設けており、裏板２５の上部２箇所に引き足３９を固定し、アタッチメント部品２９を裏板２５の下部に固定した後、裏板２５に室外機本体２３を取り付けてアタッチメント部品２９を錠ケース３１の取付孔３３に挿着し乍ら、２本の引き足３９を扉３の引き足挿通孔４３に挿通させる。
【００２９】
そして、室内機本体１７ａを外した裏板４５側のネジ挿通孔４７から扉３のネジ挿通孔にネジ４９を挿通させて、該ネジ４９を引き足３９の挿入側先端にネジ込むことで、裏板２５の上部が扉３に強固に固定されている。
【００３０】
この後、裏板４５に室内機本体１７ａを取り付けて室内機１７をセットすればよく、室内機１７は、裏板４５の２箇所のネジ止めに加え、前記図２０(b)と同様、周知のアタッチメント部品を介して錠ケース３１の取付孔３３に取り付けられている。
【００３１】
尚、本実施形態で、裏板２５の下部の２箇所のネジ挿通孔４１に引き足３９を取り付けて、室外機２１下部の取付強度を図らない理由は、アタッチメント部品２９が裏板２５の下部に取り付くことで室外機２１下部の取付強度が十分であることと、図７及び図８に示すように扉３の内部に錠ケース３１があるため、引き足３９を扉３の内部に挿通させることができないことによる。図７及び図８は室外機２１の裏板２５と室内機１７の裏板４５との位置関係を示す斜視図で、引き足３９が錠ケース３１の上方に配置されている。
【００３２】
その他、図１及び図２中、５１は室内機１７に装着されたサムターン、５３は解錠スイッチ、５５は室外機２１と室内機１７とを接続する配線である。
【００３３】
本実施形態はこのように構成されているから、図１９(a)のシリンダー７に代えて室外機２１を扉３の室外側に取り付ける場合、先ず、レバーハンドル５との位置関係から、図５(a)〜(c)に示す３パターンの中からアタッチメント部品２９の取付位置を選択してアタッチメント部品２９を裏板２５に固定する。
【００３４】
而して、例えば図５(c)の如くアタッチメント部品２９を裏板２５の下部に取り付けた場合、裏板２５（室外機２１）の上部の取付強度を図る目的で、裏板２５の上部２箇所の角部のネジ挿通孔４１を選択して、引き足３９を夫々の角部にネジ止めする。
【００３５】
そして、裏板２５に室外機本体２３を取り付けてアタッチメント部品２９を錠ケース３１の取付孔３３に挿着し乍ら、２本の引き足３９を扉３の引き足挿通孔４３に挿通させて、室内機本体１７ａを外した裏板４５側のネジ挿通孔４７から扉３のネジ挿通孔にネジ４９を挿通させて、該ネジ４９を引き足３９の挿入側先端にネジ込めば、裏板２５の上部が扉３に強固に固定されることとなる。
【００３６】
この後、裏板４５に室内機本体１７ａを取り付けて室内機１７をセットすることで、室外機２１と室内機１７の取付けが終了する。
【００３７】
尚、図示しないが、扉３内部の錠ケース３１があっても、仕様に応じ例えば図５(a)の取付位置を選択することができる場合には、アタッチメント部品２９をネジ挿通孔３７の位置に固定し、下部のネジ挿通孔４１に固定した引き足３９で室外機２１の下部の取付けを行えばよい。
【００３８】
このように本実施形態は、室外機２１の取付位置に応じ、裏板２５の四隅に引き足３９を取り付け可能とすると共に、図５(a)〜(c)の如く３パターンでのアタッチメント部品２９の取付けを可能としたので、仕様に応じ、従来と異なる扉３の位置に室外機２１を取り付けることができると共に、室外機２１の取付位置に応じて裏板２５に固定した引き足３９で、室外機２１の取付強度の向上を図ることが可能となった。
【００３９】
尚、室外機２１の取付けに当たり、中央のネジ挿通孔３５にアタッチメント部品２９を取り付けても裏板２５がレバーハンドルに接触しない場合には、裏板２５の中央にアタッチメント部品２９を取り付けることで、室外機２１の取付強度を最大限に保つことができる。
【００４０】
従って、例えば前記引き足挿通孔４３を扉３に空けられない賃貸住宅に於て、室外機２１の取付けに当たり、裏板２５の中央にアタッチメント部品２９を取り付けても裏板２５がレバーハンドルに接触しない場合には、裏板２５の中央にアタッチメント部品２９を取り付けて、図２０(a)と同様の取付構造で室外機２１を扉３に取り付けることとなる。
【００４１】
図９及び図１０は、扉３に孔加工をして、シリンダー７を残したまま室外機２１をシリンダー７の直上の位置に取り付けた請求項１の第二実施形態に係り、分譲住宅や新規物件向きの取付構造である。
【００４２】
以下、本実施形態を図面に基づいて説明すると、裏板２５の四隅に夫々引き足３９がネジ止めされている。そして、本実施形態は、前記実施形態の構成に加え、裏板２５の上部に取り付く２本の引き足３９に対応して扉３の外側面に２つの引き足挿通孔５７を設けると共に、該引き足挿通孔５７と同軸上にネジ挿通孔５９を扉３の内側面に設けたものである。
【００４３】
そして、裏板２５に取り付く４本の引き足３９を、夫々、引き足挿通孔４３，５７に挿通させると共に、前記ネジ挿通孔５９と裏板４５側のネジ挿通孔４７からネジ４９を挿通させて、該ネジ４９を引き足３９の挿入側先端にネジ込んで裏板２５の上部と下部を扉３に固定している。
【００４４】
尚、図９中、６１は裏板２５の上部をネジ４９で締め付けるに当たって使用した止着プレートである。そして、図１１及び図１２は、本実施形態に於ける室外機２１の裏板２５と室内機１７の裏板４５との位置関係を示す斜視図で、本実施形態では、裏板２５（室外機２１）の取付けに当たりアタッチメント部品２９は不要である。
【００４５】
本実施形態はこのように構成されており、本実施形態によっても、室外機２１を従来と異なる位置に取り付けることができると共に、室外機２１の取付位置に応じて裏板２５に固定した引き足３９によって、室外機２１の取付強度の向上を図ることができる。
【００４６】
また、本実施形態は、シリンダー７を残したまま室外機２１を扉３に取り付けることができるため、室外機２１が故障した場合や緊急時に外から扉３を開けることができる利点を有する。
【００４７】
図１３及び図１４は、扉３の好みの位置に孔加工をして、シリンダー７を残したまま室外機２１を更に扉３の上方に取り付けた請求項１の第三実施形態に係り、本実施形態は、裏板２５の四隅にネジ止めした４本の引き足３９に対応して、扉３の室外側の外側面に４つの引き足挿通孔６３を設けると共に、該引き足挿通孔６３と同軸上にネジ挿通孔６５を扉３の室内側の内側面に設けたものである。
【００４８】
そして、本実施形態は、裏板２５に取り付く４本の引き足３９を、夫々、引き足挿通孔６３に挿通させて、前記ネジ挿通孔６５側からネジ４９で引き足３９を締め付け固定したもので、図１５及び図１６は、本実施形態に於ける室外機２１の裏板２５と室内機１７側の裏板４５との位置関係を示し、本実施形態に於ても、裏板２５の取付けに当たりアタッチメント部品２９は不要である。
【００４９】
本実施形態はこのように構成されており、本実施形態によっても、前記実施形態と同様、室外機２１を従来と異なる位置に取り付けることができると共に、室外機２１の取付位置に応じて裏板２５に固定した引き足３９によって、室外機２１の取付強度の向上を図ることができる利点を有する。
【００５０】
また、本実施形態も、シリンダー７を残したまま室外機２１を扉３に取り付けることができるため、室外機２１が故障した場合や緊急時に外から扉３を開けることができる利点を有する。
【００５１】
そして、図１３の実施形態では室外機２１を扉３の上方に取り付けたが、子供や車いすの人のために、本実施形態に係る取付構造を用いることで、室外機２１をレバーハンドル５の下方に取り付けることも可能である。
【００５２】
図１７及び図１８は、請求項２の一実施形態に係る室外機２１の取付構造を示し、本実施形態は、扉に孔加工することなく、また、シリンダーを残したまま室外機を取り付けることが可能な、主として賃貸住宅向きの取付構造である。尚、前記各実施形態と同一のものには同一符号を付してそれらの説明は省略する。
【００５３】
図中、６７は一例として鉄板で形成された一枚の薄肉な取付板で、シリンダー７と扉３との間に介装できる肉厚で形成され、扉３の室外側の外側面に両面テープで強固に貼着されるようになっている。
【００５４】
そして、取付板６７の下部には、シリンダー７を取り付ける扉３の取付孔６９と中心軸を同じくして、該取付板６９よりも小径でシリンダー７が扉３に取り付け可能なシリンダー挿通孔７１が設けられている。
【００５５】
また、取付板６７の上方には、前記裏板２５のネジ挿通孔４１に対応して４つのネジ挿通孔７３が設けられており、扉３への取付板６７の取付けに当たり、取付板６７の裏面側から平ネジで取付板６７に裏板２５がネジ止めされるようになっている。
【００５６】
本実施形態はこのように構成されているから、扉３への取付板６７の取付けに当たり、取付板６７の裏面側から平ネジで取付板６７に裏板２５をネジ止めして、該裏板２５に室外機本体２３を取り付けた後、シリンダー挿通孔７１にシリンダー７を挿通させて、該シリンダー７を錠ケース３１の取付孔３３に挿着し乍ら、取付板６７を扉３の外側面に両面テープで貼着すればよい。
【００５７】
このように本実施形態は、扉３に孔加工することなく、シリンダー７を残したまま室外機を取り付けることができるため、賃貸住宅でも電気錠のキーロックシステムを利用できると共に、室外機２１の裏板２５の四隅が取付板６７にネジ止めされているため、室外機２１の取付強度も優れた利点を有する。
【００５８】
また、本実施形態も、シリンダー７を残したまま室外機２１を扉３に取り付けることができるため、室外機２１が故障した場合や緊急時に外から扉３を開けることが可能である。
【００５９】
尚、前記実施形態では、取付板６７を両面テープで扉３に貼着したが、取付板の取付方法は両面テープに限定されるものではない。
【符号の説明】
【００６０】
１  レバーハンドル錠
３  扉
５，９  レバーハンドル
７  シリンダー
１１，５１  サムターン
１３  キーロックシステム
１７  室内機（メインボディ）
２１  室外機（フロントボディ）
２３  室外機本体
２５，４５  裏板
２９  アタッチメント部品
３１  錠ケース
３３，６９  取付孔
３５，３７，４１，４７，５９，６５，７３  ネジ挿通孔
３９  引き足（強化脚）
４３，５７，６３  引き足挿通孔（強化脚挿通孔）
４９  ネジ
６１  止着プレート
６７  取付板
７１  シリンダー挿通孔
【先行技術文献】
【非特許文献】
【００６１】
【非特許文献１】「キーレス錠」  http://www.miwa-lock.co.jp/product/11_cardlock.htm  検索日 平成２１年２月１６日
【図１】
0003151440.tif 000003
【図２】
0003151440.tif 000004
【図３】
0003151440.tif 000005
【図４】
0003151440.tif 000006
【図５】
0003151440.tif 000007
【図６】
0003151440.tif 000008
【図７】
0003151440.tif 000009
【図８】
0003151440.tif 000010
【図９】
0003151440.tif 000011
【図１０】
0003151440.tif 000012
【図１１】
0003151440.tif 000013
【図１２】
0003151440.tif 000014
【図１３】
0003151440.tif 000015
【図１４】
0003151440.tif 000016
【図１５】
0003151440.tif 000017
【図１６】
0003151440.tif 000018
【図１７】
0003151440.tif 000019
【図１８】
0003151440.tif 000020
【図１９】
0003151440.tif 000021
【図２０】
0003151440.tif 000022
【手続補正書】
【提出日】平成21年4月10日(2009.4.10)
【手続補正１】
【補正対象書類名】実用新案登録請求の範囲
【補正対象項目名】全文
【補正方法】変更
【補正の内容】
【実用新案登録請求の範囲】
【請求項１】
電気錠のキーロックシステムに於ける室外機の取付構造であって、
前記室外機の裏板の四隅に、棒状の強化脚を着脱自在に取り付け可能とし、
前記裏板の中央と該中央の上下方向のいずれか一方に、扉内部の錠ケースに挿着するアタッチメント部品を着脱自在に取り付け可能とし、
扉に対する室外機の取付位置に応じ、前記強化脚の取付位置を選択して該強化脚を前記裏板に取り付け、
室外機の取付位置に応じたアタッチメント部品の使用時に、該アタッチメント部品の取付位置を選択してこれを裏板に取り付けると共に、
裏板に取り付けた前記強化脚に対応して扉に強化脚挿通孔を設け、該強化脚挿通孔に挿通させた強化脚を、扉の室内側から締め付け固定することを特徴とする室外機の取付構造。
【手続補正２】
【補正対象書類名】明細書
【補正対象項目名】０００４
【補正方法】変更
【補正の内容】
【０００４】
ところで、例えば図１７(a)，(b)に示すようにレバーハンドル錠１が用いられた住宅の扉３には、扉３の室外側にレバーハンドル５とシリンダー７が装着され、扉３の室内側にレバーハンドル９とサムターン１１が装着されているが、斯かるレバーハンドル錠１に代えて、図１８(a)，(b)の如く前記キーロックシステム１３の室外機１５と室内機（メインボディ）１７を扉３に取り付ける場合、シリンダー７とサムターン１１を取り外し、これらを取り外した後の扉の取付孔から、扉内部の錠ケース（図示せず）の取付孔に、室外機１５の裏板（室外機本体を扉に取り付ける板材）に装着したアタッチメント部品と、室内機１７の裏板（室内機本体を扉に取り付ける板材）に装着したアタッチメント部品を夫々挿着して、室外機１５と室内機１７を扉３に取り付けていた。
【手続補正３】
【補正対象書類名】明細書
【補正対象項目名】０００７
【補正方法】変更
【補正の内容】
【０００７】
更に、図１８(a)の如くシリンダー７に代えて室外側１５を取り付けた構造上、シリン
ダー７を外しているため、例えば室外機１５が故障した場合には外から扉３を開けることができない不具合があった。
【手続補正４】
【補正対象書類名】明細書
【補正対象項目名】０００８
【補正方法】変更
【補正の内容】
【０００８】
このため、図１８(a)の如き室外機１５の取付構造に代え、シリンダー７を残した状態で室外機１５を取り付けたい需要があるが、前記アタッチメント部品を用いた取付構造では、シリンダー７を残しての取り付けができないのが実情であった。
【手続補正５】
【補正対象書類名】明細書
【補正対象項目名】０００９
【補正方法】変更
【補正の内容】
【０００９】
本考案は斯かる実情に鑑み案出されたもので、室外機を扉に取り付けるに当たり、強度的，美観的に優れ、且つ様々な需要に対応可能な室外機の取付構造を提供することを目的とする。
【手続補正６】
【補正対象書類名】明細書
【補正対象項目名】００１０
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
【図１】請求項１の第一実施形態に係る取付構造を用いた室外機と室内機が取り付く扉の室外側と室内側の正面図である。
【図２】室外機と室内機が取り付く扉の側面図である。
【図３】裏板と錠ケースの斜視図である。
【図４】裏板とアタッチメント部品の斜視図である。
【図５】アタッチメント部品の取付パターンの説明図である。
【図６】裏板と引き足の斜視図である。
【図７】室外機の裏板と室内機の裏板との位置関係を示す斜視図である。
【図８】室外機の裏板と室内機の裏板との位置関係を示す斜視図である。
【図９】請求項１の第二実施形態に係る取付構造を用いた室外機と室内機が取り付く扉の室外側と室内側の正面図である。
【図１０】室外機と室内機が取り付く扉の側面図である。
【図１１】室外機の裏板と室内機の裏板との位置関係を示す斜視図である。
【図１２】室外機の裏板と室内機の裏板との位置関係を示す斜視図である。
【図１３】請求項１の第三実施形態に係る取付構造を用いた室外機と室内機が取り付く扉の室外側と室内側の正面図である。
【図１４】室外機と室内機が取り付く扉の側面図である。
【図１５】室外機の裏板と室内機の裏板との位置関係を示す斜視図である。
【図１６】室外機の裏板と室内機の裏板との位置関係を示す斜視図である。
【図１７】レバーハンドル錠が用いられた扉の室外側と室内側の正面図である。
【図１８】従来の取付構造を用いた室外機と室内機が取り付く扉の室外側と室内側の正面図である。
【手続補正１１】
【補正対象書類名】明細書
【補正対象項目名】００１７
【補正方法】変更
【補正の内容】
【００１７】
以下、本考案の実施形態を図面に基づいて詳細に説明する。尚、図１７及び図１８に示す従来例と同一のものは同一符号を以って表示する。
【手続補正１２】
【補正対象書類名】明細書
【補正対象項目名】００３０
【補正方法】変更
【補正の内容】
【００３０】
この後、裏板４５に室内機本体１７ａを取り付けて室内機１７をセットすればよく、室内機１７は、裏板４５の２箇所のネジ止めに加え、前記図１８(b)と同様、周知のアタッチメント部品を介して錠ケース３１の取付孔３３に取り付けられている。
【手続補正１３】
【補正対象書類名】明細書
【補正対象項目名】００３３
【補正方法】変更
【補正の内容】
【００３３】
本実施形態はこのように構成されているから、図１７(a)のシリンダー７に代えて室外機２１を扉３の室外側に取り付ける場合、先ず、レバーハンドル５との位置関係から、図５(a)〜(c)に示す３パターンの中からアタッチメント部品２９の取付位置を選択してアタッチメント部品２９を裏板２５に固定する。
【手続補正１４】
【補正対象書類名】明細書
【補正対象項目名】００４０
【補正方法】変更
【補正の内容】
【００４０】
従って、例えば前記引き足挿通孔４３を扉３に空けられない賃貸住宅に於て、室外機２１の取付けに当たり、裏板２５の中央にアタッチメント部品２９を取り付けても裏板２５がレバーハンドルに接触しない場合には、裏板２５の中央にアタッチメント部品２９を取り付けて、図１８(a)と同様の取付構造で室外機２１を扉３に取り付けることとなる。
【手続補正１５】
【補正対象書類名】明細書
【補正対象項目名】００５２
【補正方法】削除
【補正の内容】
【手続補正１６】
【補正対象書類名】明細書
【補正対象項目名】００５３
【補正方法】削除
【補正の内容】
【手続補正１７】
【補正対象書類名】明細書
【補正対象項目名】００５４
【補正方法】削除
【補正の内容】
【手続補正１８】
【補正対象書類名】明細書
【補正対象項目名】００５５
【補正方法】削除
【補正の内容】
【手続補正１９】
【補正対象書類名】明細書
【補正対象項目名】００５６
【補正方法】削除
【補正の内容】
【手続補正２０】
【補正対象書類名】明細書
【補正対象項目名】００５７
【補正方法】削除
【補正の内容】
【手続補正２１】
【補正対象書類名】明細書
【補正対象項目名】００５８
【補正方法】削除
【補正の内容】
【手続補正２２】
【補正対象書類名】明細書
【補正対象項目名】００５９
【補正方法】削除
【補正の内容】
【手続補正２３】
【補正対象書類名】明細書
【補正対象項目名】００６０
【補正方法】変更
【補正の内容】
【００６０】
１  レバーハンドル錠
３  扉
５，９  レバーハンドル
７  シリンダー
１１，５１  サムターン
１３  キーロックシステム
１７  室内機（メインボディ）
２１  室外機（フロントボディ）
２３  室外機本体
２５，４５  裏板
２９  アタッチメント部品
３１  錠ケース
３３  取付孔
３５，３７，４１，４７，５９，６５  ネジ挿通孔
３９  引き足（強化脚）
４３，５７，６３  引き足挿通孔（強化脚挿通孔）
４９  ネジ
６１  止着プレート
【手続補正２４】
【補正対象書類名】図面
【補正対象項目名】全図
【補正方法】変更
【補正の内容】
【図１】
0003151440.tif 000023
【図２】
0003151440.tif 000024
【図３】
0003151440.tif 000025
【図４】
0003151440.tif 000026
【図５】
0003151440.tif 000027
【図６】
0003151440.tif 000028
【図７】
0003151440.tif 000029
【図８】
0003151440.tif 000030
【図９】
0003151440.tif 000031
【図１０】
0003151440.tif 000032
【図１１】
0003151440.tif 000033
【図１２】
0003151440.tif 000034
【図１３】
0003151440.tif 000035
【図１４】
0003151440.tif 000036
【図１５】
0003151440.tif 000037
【図１６】
0003151440.tif 000038
【図１７】
0003151440.tif 000039
【図１８】
0003151440.tif 000040